(57)【特許請求の範囲】
【請求項１】
外胴内に収容された内部ユニットの室内側熱交換室の一側に室内側熱交換器を備え、他側に室内側吹出口を備え、同外胴の前面に前記室内側熱交換器に対応する吸込口用開口部を、前記吹出口に対応する吹出口用開口部をそれぞれ備えた前面パネルを被着し、同前面パネルの前記吸込口用開口部にフィルタを装着し、同フィルタの前面に上端および下端が係止されて着脱自在に取り付けられる吸込グリルを備えた一体型空気調和機において、
前記吸込グリルは、同吸込グリルに指が掛けられる所定の奥行き寸法だけ前面パネルよりも前方に突出して上面および底面が平面となる突出部を形成し、同突出部は前記前面パネルと前記吸込グリルが面一である左端から徐々に前記前面パネルよりも高くなり中央部で一番高くなることを特徴とする一体型空気調和機。
【請求項２】
前記突出部の前記上面およびまたは前記底面には指掛け用ガイドの凹部を備えることを特徴とする請求項１に記載の一体型空気調和機。
【発明の詳細な説明】
【技術分野】
【０００１】
本発明は、一体型空気調和機の前面パネルと吸込グリルに係わるものである。
【背景技術】
【０００２】
従来例１の一体型空気調和機は、例えば図８に示すように、本体１００内のベース１０１上を、仕切板１０２により室外側熱交換器室１１０と室内側熱交換器室１２０とに区画する。
室外側熱交換器室１１０には、室外側熱交換器１１１、圧縮機１１２およびプロペラファン１１３と、同プロペラファン１１３と後述するシロッコファン１２３を駆動するファンモータ１１４を配設する。
室内側熱交換器室１２０には、前面の一側に臨ませた室内側熱交換器１２１と、室内側熱交換器１２１に対向させたシロッコファン１２３と、シロッコファン１２３を収納し、吸い込まれた空気を本体１００前面の他側の室内側吹出口１２４に導く導風路１２５とを配設した内部ユニット１０３を、外胴１０４内に出し入れ自在に収容する。
同外胴１０４の前面には室内側吸込口１２２を備えた前面パネル１３０を被着し、前面パネル１３０の裏面にフィルタ１３１を設ける。
これにより、室内側吸込口１２２から吸い込まれた空気がフィルタ１３１で塵埃を除去されて室内側熱交換器１２１で冷媒と熱交換され、シロッコファン１２３によって導風路１２５を流通したのち、室内吹出口１２４に備えた風向板１２６により風向を偏向されて室内吹出口１２４から被空調室に吹き出される。（例えば、特許文献１参照）
【０００３】
また、図９に示す一体型空気調和機の他の従来例２において、内部ユニットの構成は従来例１の内部ユニット１０３と略同じ構成であるが、前面パネル２００は額縁形状であり、枠部の内側で一段落ち込んだ中に吸込グリル２１０と吹出口２２０を備える。吹出口２２０内には縦に並列した風向板２２１を備える。吸込グリル２１０は前面パネル２００が一段落ち込んだ中に周囲に隙間２１１を設けて着脱自在に取り付けられる。吸込グリル２１０を取り外す際には隙間２１１に指を挿入して吸込グリル２１０を手前に引き出す。
【０００４】
しかし、吸込グリル２１０は、前面パネルと面一のため、図示しないが内部ユニットのファンとも近接することになる。そのため、吸込グリル２１０を通過する風は速度が速くなり、風切音のような騒音が発生しやすい。また前面パネル２００と吸込グリル２１０の間の隙間２１１の高さを指が十分に挿入できるほど余裕を持たせると、その分吸込グリル２１０の高さが短くなり吸込量が減るため余裕を持たせることが出来ず、隙間２１１が細くなり指が掛けづらく、また前面に隙間２１１を設けると埃が溜まりやすく美観を損ねる。
さらに、左右方向に風を吹き出す際に風向板２２１を偏向させるが、風向板２２１自体の奥行き幅が狭いため、風が偏向しづらい上に、吸込グリル２１０寄りに配置された風向板２２１ａと送風路壁面２２２が近接することで、送風路壁面２２２を流れる前方へ吹き出された風が、風向板２２１ａにより左右方向に偏向しようとする風の障害となる。（例えば、特許文献２参照）
【先行技術文献】
【特許文献】
【０００５】
【特許文献１】特開平８−１５８５１３号公報
【特許文献２】登録意匠第８７４９４５類似３号公報
【発明の概要】
【発明が解決しようとする課題】
【０００６】
本発明の課題は、上記問題点に鑑み、前面パネルから吸込グリルが取り外し易くなり、また、吸込グリルを通過する風の騒音が抑えられ、さらに、左右方向に風が効率よく届くことができる一体型空気調和機を提供することを目的とする。
【課題を解決するための手段】
【０００７】
外胴内に収容された内部ユニットの室内側熱交換室の一側に室内側熱交換器を備え、他側に室内側吹出口を備え、同外胴の前面に前記室内側熱交換器に対応する吸込口用開口部を、前記吹出口に対応する吹出口用開口部をそれぞれ備えた前面パネルを被着し、同前面パネルの前記吸込口用開口部にフィルタを装着し、同フィルタの前面に上端および下端が係止されて着脱自在に取り付けられる吸込グリルを備えた一体型空気調和機において、前記吸込グリルは、同吸込グリルに指が掛けられる所定の奥行き寸法だけ前面パネルよりも前方に突出して上面および底面が平面となる突出部を形成し、同突出部は前記前面パネルと前記吸込グリルが面一である左端から徐々に前記前面パネルよりも高くなり中央部で一番高くなることを最も主な特徴とする。
【０００８】
前記突出部の前記上面およびまたは前記底面には指掛け用ガイドの凹部を備えることも特徴とする。
【発明の効果】
【０００９】
本発明の効果は、前面パネルから吸込グリルが取り外し易くなり、また、吸込グリルを通過する風の騒音が抑えられ、さらに、左右方向に風が効率よく届くことができる一体型空気調和機を提供できる。
【図面の簡単な説明】
【００１０】
【図１】本発明による一体型空気調和機の外観斜視図である。
【図２】（図１）のＡ−Ａ断面図である。
【図３】本発明による一体型空気調和機の前面パネルの分解斜視図である。
【図４】本発明による一体型空気調和機の吸込グリルを取り外す状態を示す図である。
【図５】本発明による一体型空気調和機の要部底面図である。
【図６】（図１）の要部Ｂ−Ｂ断面図である。
【図７】本発明による一体型空気調和機の吹出口の要部断面図である。
【図８】従来例１による一体型空気調和機の断面図である。
【図９】従来例２による一体型空気調和機の斜視図である。
【発明を実施するための形態】
【００１１】
以下、本発明の実施の形態を、添付図面に基づいた実施例として詳細に説明する。
【実施例１】
【００１２】
本発明による一体型空気調和機１は、図１と図２に示すように、前面および後面が開口された箱型筒状の外胴１０の中に内部ユニット１１を搭載する。内部ユニット１１は仕切板１２で室外側熱交換室２と室内側熱交換室３に区画されている。外胴１０の開口された前面には前面パネル４が着脱自在に取り付けられている。
尚、一体型空気調和機１は、前面パネル４だけを被空調室９０に突設させ、外胴１０は壁面９１内に取り付け、室外側熱交換室２側が屋外９２に出るように設置される。
【００１３】
室外側熱交換室２は、室外側熱交換器２０と圧縮機２１とプロペラファン２２と、プロペラファン２２と後述するシロッコファン３１とを駆動するファンモータ２３とを備え、外胴１０の天面と側面に設けた室外側吸込口２４からプロペラファン２２により吸い込まれた空気を室外側熱交換器２０で熱交換して外胴１０の側面と開口された後面にある室外側吹出口２５から吹き出す。
【００１４】
室内側熱交換室３は、室内側熱交換器３０と、室内側熱交換器３０と仕切板１２の間にファンモータ２３に軸支されたシロッコファン３１と、シロッコファン３１を囲み導風路を構成するダクト３２と、ダクト３２の下部に電装品ユニット３３を備える。電装品ユニット３３の前面側には操作パネル３６があり、操作パネル３６には手動操作のためのツマミ３６ａが配置されている。
室内側熱交換器３０の前面が室内側吸込口３４となり、ダクト３２の前面の開口が縦長で矩形の室内側吹出口３５となる。
【００１５】
室内側吹出口３５には、ダクト３２の両側壁に軸支され手動で上下方向に偏向できる複数の上下風向板３７が上下に配置される。また、上下風向板３７の前面側で操作パネル３６の上にダクト３２の開口全体を囲む吹出口枠３８が配置される。吹出口枠３８には、縦長の短冊形をした左右風向板３９が左右平行に複数本配置され、吹出口枠３８の上面と下面に軸支されている。
【００１６】
外胴１０の前面に取り付けられる前面パネル４は、図３に示すように、額縁状の枠部４０と、枠部４０を左右方向に仕切る仕切部４１と、仕切部４１に仕切られた室内側吹出口３５に対向する面に吹出用開口部４２を設け、室内側吸込口３４に対向する面に吸込用開口部４３を設ける。
【００１７】
吹出用開口部４２は、大きく枠状に開口された中に、前面パネル４の操作パネル３６と吹出口枠３８を嵌合させる。
【００１８】
吸込用開口部４３は、本体側に後述するフィルタ５の押えとなる細い格子状の桟からなるガード部４４を備える。吸込用開口部４３の上辺には係止用孔４５ａ、４６ａがそれぞれ２箇所づつ設けられ、吸込用開口部４２の下辺にも、係止用孔４５ｂ、４６ｂがそれぞれ２箇所づつ設けられる。
【００１９】
前面パネル４の吸込用開口部４３にはフィルタ５が装着される。フィルタ５は樹脂による枠５０にネット５１が溶着され、枠５０の上端および下端に係止爪５２がそれぞれ２箇所あり、係止爪５２を前面パネル４の係止用孔４５ａ、４５ｂに係止することで装着される。
前面パネル４の吸込用開口部４２内でフィルタ５の前面には吸込グリル６が着脱自在に取り付けられる。
【００２０】
以上の構成により、室内側熱交換室３では、シロッコファン３１により前面パネル４の吸込グリル６を通過しフィルタ５で塵埃を取り除き、室内側吸込口３４に吸い込まれた空気は、室外側熱交換器２０から送られた冷媒と室内側熱交換器３０で熱交換した後、ダクト３２に導かれ室内側吹出口３５から被空調室９０に吹き出される。
【００２１】
吸込グリル６は、上下方向に平行に設けられた桟６０と、桟６０と桟６０の間の吸込部６１と周囲を囲む側壁６２からなり、上端と下端にそれぞれ２箇所づつ係止爪６３を有する。
取り付ける際は、図４に示すように、吸込グリル６の下端を前面パネル４から遠ざけるように傾けて、上端の係止爪６３を係止孔４６ａに差し込んでから、吸込グリル６の下端を下ろし、下端の係止爪６３を係止孔４６ｂに係止させる。取り外す際は、吸込グリル６を若干持ち上げて下端の係止爪６３を係止孔４６ｂから外し、吸込グリル６の下端を前面パネル４から離して、上端の係止爪６３を係止孔４６ａから外すことで取り外せる。
また、吸込グリル６を取り外さなくても、上端の係止爪６３を回動軸として、下端を前方に傾けて出来た隙間からフィルタ５を取り外すこともできる。同様に、下端の係止爪６３を回動軸として、上端を前方に傾けて出来た隙間からフィルタ５を取り外すこともできる。
【００２２】
吸込グリル６は、図５と図６に示すように、同吸込グリル６に指が掛けられる所定の奥行き寸法Ｘだけ前面パネル４よりも前方に突出して上面６ａおよび底面６ｂが平面となる突出部６４を形成する。突出部６４は前面パネル４と吸込グリル６が面一である左端から徐々に前面パネル４よりも高くなり、中央部で一番高くなる。
【００２３】
これにより、吸込グリル６を着脱する際は、突出部６４の上端または下端に指を掛けることが出来るようになり、従来例のように前面側の隙間２１１に設けた場合と異なり、指が掛け易くなり、容易に取り外しができる。
ただし、上端の突出部６４に多少埃が溜まりやすいが、上端のため視認されることはなく美観を損ねることはない。
また、吸込量の多い中央部を突出させたことで、吸込グリル６の桟６０がシロッコファン３１と従来例よりも距離ができることで、その分だけ吸込グリル６を通過する風の速度が遅くなり、風切音のような騒音が発生しにくくなる。
【００２４】
突出部６４の底面６ｂには指掛け用ガイドの凹部６５を備える。この凹部６５と、凹部６５と吸込グリル６前面側との間にできる縁部６６に指を掛けることで、さらに吸込グリル６を手前に引き出し易くなる。また、指掛け用ガイドを凹部状にしたことで、前方からは視認されないため、意匠に影響を与えることは無い。
なお、凹部６５は突出部６４の底面６ｂに備えるとしたが、これに限らず、上面６ａに設けることも可能である。
【００２５】
前面パネル４の仕切部４１は、図７に示すように、吹出口用開口部４２から吸込グリル６の突出部６４の前面に向けて傾斜面４１ａを備える。傾斜面４１ａは、左右風向板３９が傾斜面側に向きを変えた時の角度に近い角度を有する。
これにより、左右風向板３９を傾斜面側に向けた時は、左右風向板３９と傾斜面４１ａが連続した形状となることから、ダクト３２を通り左右風向板３９に導かれた風の吹出送風路が延長されることとなり、左右方向にまで風が効率良く届くことになる。
【００２６】
以上の構成により、本発明の実施例は、吸込グリル６の突出部６４および突出部６４に設けた指掛け用ガイドの凹部６５により、前面パネルから吸込グリルが取り外し易くなり、また、吸込グリル６の桟６０がシロッコファン３１と従来例よりも距離ができることで、その分だけ吸込グリル６を通過する風の速度が遅くなり、風切音のような騒音が抑えられ、さらに、左右方向に風が効率良く届く一体型空気調和機となる。
【符号の説明】
【００２７】
１      空気調和機
３      室内側熱交換室
３１    シロッコファン
３２    ダクト
３９    左右風向板
４      前面パネル
４１    仕切部
４１ａ  傾斜面
４２    吹出側開口部
４３    吸込側開口部
５      フィルタ
６      吸込グリル
６０    桟
６１    開口部
６４    突出部
６５    凹部
Ｘ      奥行き寸法
【図１】
0005953814.tif 000002
【図２】
0005953814.tif 000003
【図３】
0005953814.tif 000004
【図４】
0005953814.tif 000005
【図５】
0005953814.tif 000006
【図６】
0005953814.tif 000007
【図７】
0005953814.tif 000008
【図８】
0005953814.tif 000009
【図９】
0005953814.tif 000010